(57)【特許請求の範囲】
【請求項１】
少なくとも非接触式トークンを自動改札機本体の上面に設けたアンテナにタッチし又はかざして、あるいは、その自動改札機本体に設けたトークン投入口に投入して、前記アンテナ又は前記トークン投入口に設けたアンテナを介して前記非接触式トークンとの間で授受されるデータを基に入出場処理を行う非接触式自動改札機において、  前記トークン投入口を前記自動改札機本体の上面に開口させるとともに、そのトークン投入口に投入された非接触式トークンを利用者に返却するためのトークン返却口を前記トークン投入口よりも改札通路の出口側において前記自動改札機本体の上面に開口させるとともに、前記トークン返却口には前記トークン投入口よりも低い位置に底部を設けて、前記トークン投入口に投入された非接触式トークンのうち返却されるべきものを前記トークン返却口の底部に自重で滑落させるようにしたことを特徴とする非接触式自動改札機。
【請求項２】
トークン投入口の直下に、前記トークン投入口に投入された非接触式トークンを、その非接触式トークンから前記トークン投入口に設けたアンテナを介して読み取ったデータの判定結果に応じて回収通路側とトークン返却口側に選択的に振り分けて滑落させるフラッパを備えたことを特徴とする請求項１に記載の非接触式自動改札機。
【発明の詳細な説明】
【０００１】
【発明の属する技術分野】
本発明は、少なくとも非接触式トークンを処理することができる非接触式自動改札機に関する。
【０００２】
【従来の技術】
非接触式自動改札機は、無線通信機能を備えたＩＣカードから構成された非接触券と非接触式自動改札機本体（単に「自動改札機本体」という。）との間で、非接触でデータの授受を行い、受信したデータの処理結果に応じて改札（改札通路の通過許否）を行うように構成されている。
【０００３】
非接触券は、無線通信機能を備えたＩＣカードからなるので、磁気券に比べて製造コストが高い。したがって、１回限りの普通券や一日乗車券、あるいは回数券等の有効期間が比較的短かいもの（以下、短期使用券という。）を非接触券とする場合は、運用コストがかさむという問題点を含んでいる。そこで、本出願人は、このような問題点を解決するために、短期使用券を無線通信機能を備えた非接触式トークンに代替し、非接触式トークンを回収して繰返し使用できる改札処理システムを提案した。
【０００４】
上述のように、短期使用券を非接触式トークン（以下、単に「トークン」という。）とするときは、磁気券を処理するための自動改札機を設置する必要がなく、設備コストを低減することができるという特長が得られるだけでなく、トークンを繰返し使用できるので省資源化を図ることが可能となる。
【０００５】
【発明が解決しようとする課題】
ところで、トークンを使用する場合であっても、そのトークンが往復券、１日乗車券、あるいは、回数券である場合のように、出場の際に改札機本体に投入されたトークンを利用者へ返却する必要がある場合、出場時に改札機本体に投入されたトークンでは出場を許可できないために、投入されたトークンを利用者へ返却する必要がある場合、さらには、利用者の使用態様を広げるために、入場時においてもトークンを改札機本体に投入できるようにした場合は、その改札機本体に投入されたトークンを改札機本体から排出しなければならないが、この排出位置が適当でないと、利用者がその排出されたトークンを取出しにくいという問題がある。
【０００６】
そこで、本発明は、排出されたトークンを利用者が容易に取出すことができるようにした非接触式自動改札機を提供することを目的としている。
【０００７】
【課題を解決するための手段】
本発明は、上記目的を達成するために、少なくともトークンを改札機本体の上面に設けたアンテナにタッチし又はかざして、あるいは、その改札機本体に設けたトークン投入口に投入して、前記アンテナ又は前記トークン投入口に設けたアンテナを介して前記トークンとの間で授受されるデータを基に入出場処理を行う非接触式自動改札機において、（ａ）前記トークン投入口を前記自動改札機本体の上面に開口させ、（ｂ）そのトークン投入口に投入された非接触式トークンを利用者に返却するためのトークン返却口を前記トークン投入口よりも改札通路の出口側において前記自動改札機本体の上面に開口させるとともに、（ｃ）前記トークン返却口には前記トークン投入口よりも低い位置に底部を設けて、前記トークン投入口に投入された非接触式トークンのうち返却されるべきものを前記トークン返却口の底部に自重で滑落させるようにしたことを特徴としている。
本発明の好ましい例では、上記非接触式自動改札機において、トークン投入口の直下に、そのトークン投入口に投入された非接触式トークンを、その非接触式トークンから前記トークン投入口に設けたアンテナを介して読み取ったデータの判定結果に応じて回収通路側とトークン返却口側に選択的に振り分けて滑落させるフラッパを備えたことを特徴としている。
【０００８】
【発明の実施の形態】
以下、本発明の実施の形態を図面に基づいて説明する。図１は、改札機本体Ｇの斜視図であって、その改札機本体Ｇ（の筐体Ｈ）の改札通路Ｐの入口側の上面には、カバーａ′が設けられ、そのカバーａ′の内部に図示しない非接触券及びトークンＴと交信するためアンテナａ1 を備えている。
【０００９】
改札機本体Ｇの筐体Ｈの改札通路Ｐの入口側の正面には、改札機本体Ｇの使用の可否を利用者に表示するための表示部１が設けられている。また、図１中、Ｓ，Ｓ…は、利用者の改札通路Ｐへの進入又は改札通路Ｐからの退出、あるいは、通過を検知するための光電式の人間検知器であって、筐体Ｈの側面に所定の間隔で設けられている。さらに、この人間検知器は、筐体Ｈの上面の改札通路Ｐと反対側に、その改札通路Ｐの通過方向に沿って設けられたセンサ取付ボックス２内に設けられている反射型センサからなる人間検知器Ｓ′，Ｓ′…によっても構成されている。この人間検知器Ｓ′，Ｓ′…は、改札通路Ｐ内の大人の利用者を検知できるように、改札通路Ｐの床面から所定高さ以上の物体（利用者）を検知できるように構成されている。
【００１０】
筐体Ｈの側面には、利用者に対して音声により所定の案内を行うためのスピーカ３が取付けられているとともに、その筐体Ｈの側面の改札通路Ｐの出口側及び進入側には、ドアＤ1 ，Ｄ2 がそれぞれ設けられている。また、筐体Ｈの上面のほぼ中央部には、利用者に対して文字により所定の案内を行うための表示画面４が取付けられている。
【００１１】
図１中、５は、トークンＴ（図２参照）を改札機本体Ｇに投入するためのトークン投入口であって、アンテナａ1 と表画面４ａとのほぼ中間位置の筐体Ｈの上面で改札通路Ｐ寄りに設けられている。このトークン投入口５の近くには、トークン投入口５に投入されたトークンＴと交信するためのアンテナａ2 が設けられている。また、６は、筐体Ｈの上面に設けられたトークン返却口であって、トークン投入口５の近くで、そのトークン投入口５よりも改札通路Ｐの出口側に設けられ、改札機本体Ｇの上面に開口されている。トークン返却口６は、トークン投入口５から投入されたトークンＴを利用者へ返却するときに用いられるものである。これについては、後に詳述する。なお、トークン投入口５は、カバーａ′の中心位置に設けて、あるいは、アンテナａ1 の近傍に設けて、一つのアンテナａ1 で非接触券もトークンＴも処理できるようにしてもよい。
【００１２】
図１中、Ｃは、改札機本体Ｇに投入されたトークンＴのうち、利用者へ返却する必要のないトークンＴを収納するための回収箱であり、筐体Ｈの改札通路Ｐ側に出入自在に設けられているボックＢ内に着脱自在に設けられている。
【００１３】
図１中、７は、改札機本体Ｇの動作を司どる制御器であり、マイクロコンピュータを中心に構成されている。そして、この制御器７には、非接触券及びトークンＴとの間でデータの授受を行うためのアンテナａ1 ，ａ2 を接続したリーダライタＲ（後述の図２参照）が接続されている。
【００１４】
図２は、改札機本体Ｇに設けられている制御器７及びトークンＴの電気的構成を示すブロック図であって、制御器７側から説明すると、制御器７のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、ＣＰＵ２０には、Ｉ／Ｏユニット２３を介してドアＤ1 ，Ｄ2 を駆動制御するドア駆動ユニット２４と、表示画面４の表示内容を駆動制御する表示画面駆動ユニット２５と、トークン投入口５に設けられているシャッタ４０やフラッパＦ（後述の図３参照）のソレノイドを駆動制御するソレノイド駆動ユニット２６とが接続されている。なお、このＣＰＵ２０には、人間検知器Ｓ，Ｓ…、Ｓ′，Ｓ′…の検知信号を入力するためのセンサアンプ等が接続されているが、ここでは省略されている。
【００１５】
リーダライタＲには、非接触券及びトークンＴと交信を行うためのアンテナａ1 ，ａ2 が接続されている。これらのアンテナａ1 ，ａ2 は、非接触券又はトークンＴとデータ授受を行う機能と、非接触券又はトークンＴに電力を供給する機能とが備えられている。
【００１６】
トークンＴは、無線通信機能を有するＩＣカードと同様に構成されている。すなわち、トークンＴには、アンテナＡと、改札機本体Ｇ側と交信するための通信制御部３０と、その通信制御部３０とＩ／Ｏユニット３１を介して接続されているＣＰＵ３２と、システムプログラムや乗車券データ等の所定のデータの記録されているメモリ３３と、改札機本体Ｇからの電力波をアンテナＡを介して受信し、トークンＴの駆動電力を生成する電力生成回路３４とを有している。
【００１７】
図３は、トークン投入口５からトークン返却口６まで及び回収箱Ｃまでの経路を示す詳細図である。ここに示されるように、トークン投入口５の入口部には、図示しないソレノイドで駆動されるシャッタ４０が設けられていて、改札機本体Ｇが休止しているとき、又は、改札機本体Ｇが入場モードで、その入場時にトークンＴ投入による改札を行っていないときなどにトークン投入口５を閉止できるように構成されている。
【００１８】
図３中、Ｆは、上記トークン投入口５の直下に、すなわち、シャッタ４０の下方に設けられたフラッパであって、図示しないソレノイドにより実線で示された位置と鎖線で示された位置に選択的に駆動されるように構成されている。フラッパＦが図３の実線で示された位置にあるときは、トークン投入口５に投入されたトークンＴはその自重で落下し、そのフラッパＦに導かれて返却口６の方向に振り分けられる。トークン返却口６の底部はトークン投入口５よりも低い位置に設けてあり、これにより、トークン投入口５から投入され、自重により落下してフラッパＦに導かれてトークン返却口６の方向に振り分けられるトークンは、そのトークン返却口６の底部まで滑落して排出される。そして、トークン返却口６の改札機本体Ｇの上面の開口は、トークン返却口６の底部に排出されたトークンを改札通路に進入した利用者が容易に取り出すことができるように、形成してある。また、フラッパＦが図３の鎖線で示される位置にあるときは、トークン投入口５に投入され、自重で落下するトークンＴは、フラッパＦに導かれて垂直状の回収通路４１側に振り分けられ、この回収通路４１の下方に設けられている回収箱Ｃへ排出されるように構成されている。
【００１９】
上記構成の非接触式自動改札機において、入場時に、トークンＴがカバーａ′（アンテナａ1 ）に軽くタッチされ、又はそのカバーａ′（アンテナａ1 ）にかざされると（以下、タッチで説明する。）、そのトークンＴに記録されているデータがリーダライタＲを介して読取られてＣＰＵ２０の入場の演算処理に供される。その演算処理の結果、入場が許可できるときは、トークンＴに所定の入場データが書込まれるとともに、ドアＤ1 が開かれて（改札機本体Ｇがノーマルオープン型のときはそのまま。）利用者の改札通路Ｐの通過が許可される。
【００２０】
上述の演算処理の結果、入場を許可できないときは、ドアＤ1 が閉じられるとともに、スピーカ３及び表示画面４を介してその旨が利用者へ報知される。
【００２１】
なお、入場時においても、トークンＴをトークン投入口５へ投入できるように改札機本体Ｇが運用されているときは、トークン投入口５に投入されたトークンＴは、返却口６に排出されて利用者へ返却される。
【００２２】
上記構成の非接触式自動改札機において、出場時に、トークンＴがトークン投入口５に投入されると、そのトークンＴに記録されているデータがリーダライタＲを介して読取られてＣＰＵ２０の出場の演算処理に供される。その演算処理の結果、出場を許可できるときは、トークンＴに所定の出場データが書込まれて、回収通路４１を介して回収箱Ｃに回収されるとともに、ドアＤ1 が開かれて利用者の改札通路Ｐの通過が許可される。
【００２３】
上述の演算処理の結果、出場を許可できないときは、ドアＤ1 が閉じられるとともに、スピーカ３及び表示画面４を介して精算案内等の適切な案内が行われる。
【００２４】
なお、トークンＴが往復券等で、出場時においても利用者にトークンＴを返却する必要があるときは、トークン投入口５に投入されたトークンＴは、トークン返却口６に排出される。
出場時にトークンＴを利用者へ返却する必要があるときは、カバーａ′（アンテナａ1 ）にタッチしての出場も可能とすることができる。
【００２５】
上では説明を省略したが、非接触券を用いる場合の入出場処理は、周知の非接触券式自動改札機と同様に行われる。
【００２６】
【発明の効果】
請求項１に記載の発明によれば、トークン投入口を改札機本体の上面に開口させ、そのトークン投入口に投入されたトークンを利用者に返却するためのトークン返却口を前記トークン投入口よりも改札通路の出口側において改札機本体の上面に開口させるとともに、トークン返却口にはトークン投入口よりも低い位置に底部を設けて、トークン投入口に投入されたトークンのうち、返却されるべきトークンをトークン返却口の底部に自重で滑落させるようにしたので、トークン投入口にトークンを投入して改札通路に進入した利用者は改札通路を進行しながらそのトークンをトークン返却口から容易かつ円滑に取り出すことができる。
【００２７】
請求項２に記載の発明によれば、トークン投入口の直下に、トークン投入口に投入されたトークンを、トークン投入口に設けたアンテナを介して読み取ったデータの判定結果に応じて回収通路側とトークン返却口側に選択的に振り分けて滑落させるフラッパを備えたので、簡単な構成により、トークンのトークン返却口又は回収箱への振り分けを行うことができる。
【図面の簡単な説明】
【図１】  本発明の一実施の形態に係る非接触式自動改札機の斜視図である。
【図２】  制御器及びトークンの電気的構成を示すブロック図である。
【図３】 改札機本体のトークン投入口からトークン返却口まで及び回収箱までの経路を示す詳細 図である。
【符号の説明】
Ｇ    改札機本体（非接触式自動改札機の本体）
Ｔ    トークン（非接触式トークン）
５    トークン投入口
６    トークン返却口
４０  シャッタ
４１  回収通路
Ｃ    回収箱
Ｆ    フラッパ
【図１】
0004073188.tif 000002
【図２】
0004073188.tif 000003
【図３】
0004073188.tif 000004